(57)【要約】【課題】  部品点数が少なくて組立作業を簡単にすること。【解決手段】  ディスクドライブのケーシング１のフロントパネル１ａに開設した操作口２から外方に部分的に露出させたボリウムノブ３と、ディスクドライブの起動信号に基づいて発光される発光ダイオードＬＥＤとを有する電気機器用フロントパネル装置において、前記ボリウムノブ３が透光性合成樹脂により成形され、発光ダイオードＬＥＤがボリウムノブ３の後方に配置されており、その発光ダイオードＬＥＤからボリウムノブ３に光を入射させるようにした。【選択図】        図１
2005302171.tif 000002
【特許請求の範囲】
【請求項１】
ディスクドライブのケーシングのフロントパネルに開設した操作口か
ら外方に部分的に露出させたボリウムノブと、前記フロントパネルに開設した表示口にレ
ンズを通して対向する発光ダイオードとを有し、該発光ダイオードを起動信号に基づいて
発光させるようにした電気機器用フロントパネル装置において、前記表示口及びレンズを
省略し、前記ボリウムノブが透光性合成樹脂により成形されると共に、該ボリウムノブの
後方に前記発光ダイオードが配置されており、その発光ダイオードからボリウムノブに光
を入射させるようにしたことを特徴とする電気機器用フロントパネル装置。
【請求項２】
ディスクドライブのケーシングのフロントパネルに開設した操作口か
ら外方に部分的に露出させたボリウムノブと、前記フロントパネルに開設した表示口にレ
ンズを通して対向する発光ダイオードとを有し、該発光ダイオードを起動信号に基づいて
発光させるようにした電気機器用フロントパネル装置において、前記表示口及びレンズを
省略し、前記ボリウムノブが透光性合成樹脂により成形されると共に、該ボリウムノブの
上面に環状突起部がそのボリウムノブと同心状に一体形成され、該環状突起部内に前記発
光ダイオードが挿入されており、その発光ダイオードからボリウムノブに光を入射させる
ようにしたことを特徴とする電気機器用フロントパネル装置。
【請求項３】
ディスクドライブのケーシングのフロントパネルに開設した操作口か
ら外方に部分的に露出させたボリウムノブと、前記フロントパネルに開設した表示口にレ
ンズを通して対向する発光ダイオードとを有し、該発光ダイオードを起動信号に基づいて
発光させるようにした電気機器用フロントパネル装置において、前記表示口及びレンズを
省略し、前記ボリウムノブが透光性合成樹脂により成形されると共に、該ボリウムノブの
上面に環状突起部がそのボリウムノブと同心状に一体形成され、該環状突起部の内周面を
奥すぼまりの傾斜面とすることにより反射面が形成され、その環状突起部の後方に前記発
光ダイオードが配置されており、その発光ダイオードから反射面を介してボリウムノブに
光を入射させるようにしたことを特徴とする電気機器用フロントパネル装置。
【請求項４】
ディスクドライブのケーシングのフロントパネルに開設した操作口か
ら外方に部分的に露出させたボリウムノブと、前記フロントパネルに開設した表示口にレ
ンズを通して対向する発光ダイオードとを有し、該発光ダイオードを起動信号に基づいて
発光させるようにした電気機器用フロントパネル装置において、前記表示口及びレンズを
省略し、前記ボリウムノブが透光性合成樹脂により成形されると共に、該ボリウムノブの
上面に環状突起部がそのボリウムノブと同心状に一体形成され、該環状突起部の内周面を
奥すぼまりの傾斜面とすることにより反射面が形成され、その環状突起部の外周面に、一
端部から他端部にかけて透光度が徐々に変化する透光性合成樹脂により成形した透光度調
整シールが巻き付けられ、前記環状突起部の後方に前記発光ダイオードが配置されており
、その発光ダイオードから透光度調整シートを通過し反射面を介してボリウムノブに光を
入射させるようにしたことを特徴とする電気機器用フロントパネル装置。
【請求項５】
電気機器のケーシングのフロントパネルに開設した操作口から外方に
部分的に露出させたボリウムノブと、電気機器の起動信号に基づいて発光される発光ダイ
オードとを有する電気機器用フロントパネル装置において、前記ボリウムノブが透光性合
成樹脂により成形されており、前記発光ダイオードからボリウムノブに光を入射させるよ
うにしたことを特徴とする電気機器用フロントパネル装置。
【請求項６】
前記発光ダイオードがボリウムノブの後方に配置されており、その発
光ダイオードからボリウムノブに光を入射させるようにしたことを特徴とする請求項５に
記載の電気機器用フロントパネル装置。
【請求項７】
ボリウムノブの上面に環状突起部がそのボリウムノブと同心状に一体
形成され、該環状突起部に前記発光ダイオードが挿入されており、その発光ダイオードか
らボリウムノブに光を入射させるようにしたことを特徴とする請求項５に記載の電気機器
用フロントパネル装置。
【請求項８】
前記ボリウムノブの上面に環状突起部がそのボリウムノブと同心状に
一体形成され、該環状突起部の内周面を奥すぼまりの傾斜面とすることにより反射面が形
成され、その環状突起部の後方に前記発光ダイオードが配置されており、その発光ダイオ
ードから反射面を介してボリウムノブに光を入射させるようにしたことを特徴とする請求
項５に記載の電気機器用フロントパネル装置。
【請求項９】
前記ボリウムノブの上面に環状突起部がそのボリウムノブと同心状に
一体形成され、該環状突起部の内周面を奥すぼまりの傾斜面とすることにより反射面が形
成され、その環状突起部の外周面に、一端部から他端部にかけて透光度が徐々に変化する
透光性合成樹脂により成形した透光度調整シールが巻き付けられ、前記環状突起部の後方
に前記発光ダイオードが配置されており、その発光ダイオードから透光度調整シートを通
過し反射面を介してボリウムノブに光を入射させるようにしたことを特徴とする請求項５
に記載の電気機器用フロントパネル装置。
【発明の詳細な説明】
【技術分野】
【０００１】
本発明は、例えばＤＶＤ＋ＲＷのディスクドライブなどの電気機器に用いられるフロン
トパネル装置に関する。
【背景技術】
【０００２】
従来、ＤＶＤ＋ＲＷのディスクドライブの一例として図６に示すものがある。これは、
ケーシング１のフロントパネル１ａに開設した操作口２から外方に部分的に露出させたボ
リウムノブ３と、フロントパネル１ａの表示口４にレンズ５を通して対向する発光ダイオ
ードＬＥＤとを有している。なお、６はヘッドホーン用ジャック、７はトレイ８を出退さ
せるための押釦である。
【０００３】
操作手順を説明すると、ディスクドライブに電源を接続して起動すると、その起動信号
に基づいて発光ダイオードＬＥＤを発光させ、レンズ５を介して表示口４を光らせる。こ
の起動状態で、押釦７を押してトレイ８をアンローディングさせ（図６仮想線参照）、該
トレイ８上にディスク（図示せず）を載置した後、押釦７を押してトレイ８をローディン
グし（図６実線参照）、そのトレイ８上のディスクをターンテーブルにより回転させて光
ピックアップによりディスクに記録されている情報を読み取って再生し、その再生音量を
ボリウムノブ３の左方向ａへの回転により大音量にしたり右方向ｂへの回転により小音量
にしたりして調整し、その調整した再生音声をジャック６に接続したヘッドホンで聞き取
る。
【特許文献１】特開平９−３５４６０号公報
【発明の開示】
【発明が解決しようとする課題】
【０００４】
上記従来の構成では、発光ダイオードＬＥＤを発光させることによりレンズ５を介して
表示口４を光らせて起動状態であることを表示するようになっているが、これでは、レン
ズ５を用いている分だけ部品点数が多く、そのレンズ５をフロントパネル１ａに溶着する
のにも手間がかかって組立作業が面倒であり、製作費が高くつく。
【０００５】
本発明は、上記従来の欠点に鑑み、部品点数が少なくて組立作業を簡単にした電気機器
用フロントパネル装置を提供することを目的としている。
【課題を解決するための手段】
【０００６】
上記目的を達成するため、請求項１に記載の発明は、ディスクドライブのケーシングの
フロントパネルに開設した操作口から外方に部分的に露出させたボリウムノブと、前記フ
ロントパネルに開設した表示口にレンズを通して対向する発光ダイオードとを有し、該発
光ダイオードを起動信号に基づいて発光させるようにした電気機器用フロントパネル装置
において、前記表示口及びレンズを省略し、前記ボリウムノブが透光性合成樹脂により成
形されると共に、該ボリウムノブの後方に前記発光ダイオードが配置されており、その発
光ダイオードからボリウムノブに光を入射させるようにしたことを特徴としている。
【０００７】
請求項２に記載の発明は、ディスクドライブのケーシングのフロントパネルに開設した
操作口から外方に部分的に露出させたボリウムノブと、前記フロントパネルに開設した表
示口にレンズを通して対向する発光ダイオードとを有し、該発光ダイオードを起動信号に
基づいて発光させるようにした電気機器用フロントパネル装置において、前記表示口及び
レンズを省略し、前記ボリウムノブが透光性合成樹脂により成形されると共に、該ボリウ
ムノブの上面に環状突起部がそのボリウムノブと同心状に一体形成され、該環状突起部内
に前記発光ダイオードが挿入されており、その発光ダイオードからボリウムノブに光を入
射させるようにしたことを特徴としている。
【０００８】
請求項３に記載の発明は、ディスクドライブのケーシングのフロントパネルに開設した
操作口から外方に部分的に露出させたボリウムノブと、前記フロントパネルに開設した表
示口にレンズを通して対向する発光ダイオードとを有し、該発光ダイオードを起動信号に
基づいて発光させるようにした電気機器用フロントパネル装置において、前記表示口及び
レンズを省略し、前記ボリウムノブが透光性合成樹脂により成形されると共に、該ボリウ
ムノブの上面に環状突起部がそのボリウムノブと同心状に一体形成され、該環状突起部の
内周面を奥すぼまりの傾斜面とすることにより反射面が形成され、その環状突起部の後方
に前記発光ダイオードが配置されており、その発光ダイオードから反射面を介してボリウ
ムノブに光を入射させるようにしたことを特徴としている。
【０００９】
請求項４に記載の発明は、ディスクドライブのケーシングのフロントパネルに開設した
操作口から外方に部分的に露出させたボリウムノブと、前記フロントパネルに開設した表
示口にレンズを通して対向する発光ダイオードとを有し、該発光ダイオードを起動信号に
基づいて発光させるようにした電気機器用フロントパネル装置において、前記表示口及び
レンズを省略し、前記ボリウムノブが透光性合成樹脂により成形されると共に、該ボリウ
ムノブの上面に環状突起部がそのボリウムノブと同心状に一体形成され、該環状突起部の
内周面を奥すぼまりの傾斜面とすることにより反射面が形成され、その環状突起部の外周
面に、一端部から他端部にかけて透光度が徐々に変化する透光性合成樹脂により成形した
透光度調整シールが巻き付けられ、前記環状突起部の後方に前記発光ダイオードが配置さ
れており、その発光ダイオードから透光度調整シートを通過し反射面を介してボリウムノ
ブに光を入射させるようにしたことを特徴としている。
【００１０】
請求項５に記載の発明は、電気機器のケーシングのフロントパネルに開設した操作口か
ら外方に部分的に露出させたボリウムノブと、電気機器の起動信号に基づいて発光される
発光ダイオードとを有する電気機器用フロントパネル装置において、前記ボリウムノブが
透光性合成樹脂により成形されており、前記発光ダイオードからボリウムノブに光を入射
させるようにしたことを特徴としている。
【００１１】
請求項６に記載の発明は、請求項５に記載の発明において、前記発光ダイオードがボリ
ウムノブの後方に配置されており、その発光ダイオードからボリウムノブに光を入射させ
るようにしたことを特徴としている。
【００１２】
請求項７に記載の発明は、請求項５に記載の発明において、ボリウムノブの上面に環状
突起部がそのボリウムノブと同心状に一体形成され、該環状突起部に前記発光ダイオード
が挿入されており、その発光ダイオードからボリウムノブに光を入射させるようにしたこ
とを特徴としている。
【００１３】
請求項８に記載の発明は、請求項５に記載の発明において、前記ボリウムノブの上面に
環状突起部がそのボリウムノブと同心状に一体形成され、該環状突起部の内周面を奥すぼ
まりの傾斜面とすることにより反射面が形成され、その環状突起部の後方に前記発光ダイ
オードが配置されており、その発光ダイオードから反射面を介してボリウムノブに光を入
射させるようにしたことを特徴としている。
【００１４】
請求項９に記載の発明は、請求項５に記載の発明において、前記ボリウムノブの上面に
環状突起部がそのボリウムノブと同心状に一体形成され、該環状突起部の内周面を奥すぼ
まりの傾斜面とすることにより反射面が形成され、その環状突起部の外周面に、一端部か
ら他端部にかけて透光度が徐々に変化する透光性合成樹脂により成形した透光度調整シー
ルが巻き付けられ、前記環状突起部の後方に前記発光ダイオードが配置されており、その
発光ダイオードから透光度調整シートを通過し反射面を介してボリウムノブに光を入射さ
せるようにしたことを特徴としている。
【発明の効果】
【００１５】
請求項１に記載の発明は、第１の実施の形態（図１参照）に対応するものであって、こ
れによれば、発光ダイオードを発光させることによりボリウムノブを光らせて起動状態で
あることを表示するようになっており、そのボリウムノブが従来のレンズの役割を兼ねて
いるから、その兼ねている分だけ部品点数が少なくなり、しかも、従来必要であったレン
ズ溶着作業も省けるので、組立工程数も少なくなり、製作費が安くつき、安価なディスク
ドライブを提供することができる。
【００１６】
また、ボリウムノブが光っているので、そのボリウムノブの位置を暗い場所でも明確に
目視してボリウム調整を容易に行うことができる。
【００１７】
ここで特に、設計上、発光ダイオードの位置を従来のレンズの後方からボリウムノブの
後方に変更するだけでよく、その位置変更を容易に行うことができる。
【００１８】
請求項２に記載の発明は、第２の実施の形態（図２参照）に対応するものであって、こ
れによれば、請求項１に記載の発明とほぼ同様の効果を得ることができ、特に、ボリウム
ノブの上面に一体形成した環状突起部内に発光ダイオードが挿入されているので、そのボ
リウムノブを直接的に明るく光らして起動状態を明確に表示することができる。
【００１９】
請求項３に記載の発明は、第３の実施の形態（図３参照）に対応するものであって、こ
れによれば、請求項１に記載の発明とほぼ同様の効果を得ることができ、特に、発光ダイ
オードから反射面を介してボリウムノブに光を入射するので、そのボリウムノブを明るく
光らして起動状態を明確に表示することができる。
【００２０】
請求項４に記載の発明は、第４の実施の形態（図４及び図５参照）に対応するものであ
って、これによれば、請求項１に記載の発明とほぼ同様の効果を得ることができ、特に、
発光ダイオードから透光度調整シールを通過し反射面を介してボリウムノブに光を入射す
るので、そのボリウムノブを明るく光らして起動状態を明確に表示することができ、しか
も、透光度調整シールで調整された輝度によりボリウム調整（例えば音量）を目視で確認
することができる。
【００２１】
請求項５に記載の発明は基本形態を示すものであって、これによれば、発光ダイオード
を発光させることによりボリウムノブを光らせて起動状態であることを表示するようにな
っており、そのボリウムノブが従来のレンズの役割を兼ねているから、その兼ねている分
だけ部品点数が少なくなり、しかも、従来必要であったレンズ溶着作業も省けるので、組
立工程数も少なくなり、製作費が安くつく。
【００２２】
また、ボリウムノブが光っているので、そのボリウムノブの位置を暗い場所でも明確に
目視してボリウム調整を容易に行うことができる。
【００２３】
請求項６記載の発明によれば、設計上、発光ダイオードの位置を従来のレンズの後方か
らボリウムノブの後方に変更するだけでよく、その位置変更を容易に行うことができる。
【００２４】
請求項７に記載の発明によれば、ボリウムノブの上面に一体形成した環状突起部内に発
光ダイオードが挿入されているので、そのボリウムノブを直接的に明るく光らして起動状
態を明確に表示することができる。
【００２５】
請求項８に記載の発明によれば、発光ダイオードから反射面を介してボリウムノブに光
を入射するので、そのボリウムノブを明るく光らして起動状態を明確に表示することがで
きる。
【００２６】
請求項９に記載の発明によれば、発光ダイオードから透光度調整シールを通過し反射面
を介してボリウムノブに光を入射するので、そのボリウムノブを明るく光らして起動状態
を明確に表示することができ、しかも、透光度調整シールで調整された輝度によりボリウ
ム調整（例えば音量）を目視で確認することができる。
【発明を実施するための最良の形態】
【００２７】
図１は本発明の第１の実施の形態であるディスクドライブ用フロントパネル装置を示す
ものであって、プリント基板１０上に配置した支軸３ａ回りで左右方向ａ，ｂに正逆回転
されるボリウムノブ３がアクリル樹脂などの透光性合成樹脂により成形されると共に、該
ボリウムノブ３の後方のプリント基板１０上にホルダ１１を介して発光ダイオードＬＥＤ
が配置され、図６に示す表示口４及びレンズ５を省略している。上記以外の構成は図６に
示す構成とほぼ同じであるから、同一部分に同一符号を付してその説明を省略する。
【００２８】
操作手順を説明すると、ディスクドライブに電源を接続して起動すると、その起動信号
に基づいて発光ダイオードＬＥＤを発光させ、その光をボリウムノブ３に入射して該ボリ
ウムノブ３を光らせる。以後の手順は従来と同様に、押釦７を押してトレイ８をアンロー
ディングさせ（図６仮想線参照）、該トレイ８上にディスク（図示せず）を載置した後、
押釦７を押してトレイ８をローディングし（図６実線参照）、そのトレイ８上のディスク
をターンテーブルにより回転させて光ピックアップによりディスクに記録されている情報
を読み取って再生し、その再生音量をボリウムノブ３の左方向ａへの回転により大音量に
したり右方向ｂへの回転により小音量にしたりして調整し、その調整した再生音声をジャ
ック６に接続したヘッドホンで聞き取る。
【００２９】
上記構成によれば、発光ダイオードＬＥＤを発光させることによりボリウムノブ３を光
らせて起動状態であることを表示するようになっており、そのボリウムノブ３が従来のレ
ンズ５（図６参照）の役割を兼ねているから、その兼ねている分だけ部品点数が少なくな
り、しかも、従来必要であったレンズ溶着作業も省けるので、組立工程数も少なくなり、
製作費が安くつき、安価なディスクドライブを提供することができる。
【００３０】
また、ボリウムノブ３が光っているので、そのボリウムノブ３の位置を暗い場所でも明
確に目視してボリウム調整を容易に行うことができる。
【００３１】
ここで特に、設計上、発光ダイオードＬＥＤの位置をレンズ５の後方からボリウムノブ
３の後方に変更するだけでよく、その位置変更を容易に行うことができる。
【００３２】
図２は本発明の第２の実施の形態を示すものであって、ボリウムノブ３の上面に環状突
起部１２がそのボリウムノブ３と同心状に一体形成され、該環状突起部１２内に発光ダイ
オードＬＥＤが挿入されており、その発光ダイオードＬＥＤからボリウムノブ３に光を入
射させるようにした。上記以外の構成は第１の実施の形態（図１参照）とほぼ同じである
から、同一部分に同一符号を付してその説明を省略する。
【００３３】
上記構成によれば、第１の実施の形態とほぼ同様の効果を得ることができ、特に、ボリ
ウムノブ３の上面に一体形成した環状突起部１２内に発光ダイオードＬＥＤが挿入されて
いるので、そのボリウムノブ３を直接的に明るく光らして起動状態を明確に表示すること
ができる。
【００３４】
図３は本発明の第３の実施の形態を示すものであって、ボリウムノブ３の上面に一体形
成した円形状環状突起部１２の内周面を奥すぼまりの傾斜面とすることにより反射面１２
ａが形成され、その環状突起部１２の後方に発光ダイオードＬＥＤが配置されており、そ
の発光ダイオードＬＥＤから反射面１２ａを介してボリウムノブ３に光を入射させるよう
にした。上記以外の構成は第１の実施の形態（図１参照）とほぼ同じであるから、同一部
分に同一符号を付してその説明を省略する。
【００３５】
上記構成によれば、第１の実施の形態とほぼ同様の効果を得ることができ、特に、発光
ダイオードＬＥＤから反射面１２ａを介してボリウムノブ３に光を入射するので、そのボ
リウムノブ３を明るく光らして起動状態を明確に表示することができる。
【００３６】
図４及び図５は本発明の第４の実施の形態を示すものであって、ボリウムノブ３の上面
に〔多角形（６角形、８角形またはそれ以上の多角形）若しくは円形〕の環状突起部１２
がそのボリウムノブ３と同心状に一体形成され、該環状突起部１２の内周面を奥すぼまり
の傾斜面とすることにより反射面１２ａが形成され、ボリウムノブ３の回転角度（０°〜
３００°）に合わせて、その環状突起部１２の外周面に、一端部から他端部にかけて透光
度が徐々に変化する透光性合成樹脂により成形した透光度調整シール１３が巻き付けられ
てホットスタンプにより熱融着され、環状突起部１２の後方に発光ダイオードＬＥＤが配
置されており、その発光ダイオードＬＥＤから透光度調整シール１３を通過し反射面１２
ａを介してボリウムノブ３に光を入射させるようにした。上記以外の構成は第１の実施の
形態（図１参照）とほぼ同じであるから、同一部分に同一符号を付してその説明を省略す
る。
【００３７】
上記構成によれば、第１の実施の形態とほぼ同様の効果を得ることができ、特に、発光
ダイオードＬＥＤから透光度調整シール１３を通過し反射面１２ａを介してボリウムノブ
３に光を入射するので、そのボリウムノブ３を明るく光らして起動状態を明確に表示する
ことができ、しかも、透光度調整シール１３で調整された輝度によりボリウム調整（例え
ば音量）を目視で確認することができる。
【産業上の利用可能性】
【００３８】
上記の実施の形態ではディスクドライブを例にあげて説明したが、これに限定されるわ
けではなく、ボリウムノブ及び発光ダイオードを備えた各種電気機器にも適用することが
できる。
【図面の簡単な説明】
【００３９】
【図１】（ａ）は本発明の第１の実施の形態を示す縦断面図、（ｂ）は同平面図、（ｃ）は同要部の斜視図である。
【図２】（ａ）は本発明の第２の実施の形態を示す縦断面図、（ｂ）は同平面図、（ｃ）は同要部の斜視図である。
【図３】（ａ）は本発明の第３の実施の形態を示す縦断面図、（ｂ）は同平面図、（ｃ）は同要部の斜視図である。
【図４】（ａ）は本発明の第４の実施の形態を示す縦断面図、（ｂ）は同平面図、（ｃ）は同要部の斜視図である。
【図５】同透光度調整シールとボリウムノブとの関係を示す説明図である。
【図６】従来例を示す斜視図である。
【符号の説明】
【００４０】
１        ケーシング
１ａ      フロントパネル
２        操作口
３        ボリウムノブ
４        表示口
５        レンズ
１２      環状突起部
１２ａ    反射面
１３      透光度調整シール
【図１】
2005302171.tif 000003
【図２】
2005302171.tif 000004
【図３】
2005302171.tif 000005
【図４】
2005302171.tif 000006
【図５】
2005302171.tif 000007
【図６】
2005302171.tif 000008